(57)【要約】      （修正有）【課題】操作性の良いプッシュスイッチを提供する。【解決手段】プッシュスイッチ１００では、固定接点部材２が形成された収容部１ａを有する基台１と、固定接点部材２と接離可能で開口部３ａが形成された可動接点部材３と、収容部１ａを覆い可動接点部材３を押圧する押圧部４ａを有する操作部材４と、操作部材４を基台１との間に保持するカバー５と、を備えてプッシュスイッチを構成する。また、可動接点部材３に臨む押圧部４ａの一端側は、円柱状に形成されるとともに、押圧部４ａの一端側の端部には凹形状に形成されたテーパ部４ｂを有し、押圧部４ａが円筒状に延出する方向に対して垂直な面で切断した時のテーパ部４ｂの断面の形状は円形とする。さらに、押圧部４ａの一端側の端部における断面の直径は、可動接点部材３の開口部３ａの直径よりも大きく、かつ、押圧部４ａの他端側に向かうにしたがって断面の直径は小さくなる構成とした。【選択図】図２
0003179036.tif 000002
【実用新案登録請求の範囲】
【請求項１】
固定接点部材が形成された収容部を有する基台と、
前記収容部に収容され前記固定接点部材と接離可能であり、中央部分に円形の開口部が形成された可動接点部材と、
前記収容部を覆い、前記可動接点部材を押圧する押圧部を有する操作部材と、
前記操作部材を、前記基台との間に保持するカバーと、を備えたプッシュスイッチにおいて、
前記可動接点部材に臨む前記押圧部の一端側は、円柱状に形成されるとともに、前記押圧部の一端側の端部には凹形状に形成されたテーパ部を有し、
前記押圧部が円筒状に延出する方向に対して垂直な面で切断した時の前記テーパ部の断面の形状は円形であり、前記押圧部の一端側の端部における前記断面の直径は、前記可動接点部材の前記開口部の直径よりも大きく、かつ、前記押圧部の他端側に向かうにしたがって小さくなる、ことを特徴とするプッシュスイッチ。
【請求項２】
前記操作部材は、
前記押圧部と、
前記押圧部の周辺に形成され、前記基台と前記カバーとの間に保持される基台部と、
前記押圧部と前記基台部との間を繋げる繋ぎ部と、を有し、
前記繋ぎ部の前記基台部側の端部には、前記基台部から連続して前記基台が配置された方向へ傾斜した傾斜部が形成されていることを特徴とする請求項１に記載のプッシュスイッチ。
【請求項３】
前記可動接点部材は、ドーム状に形成された膨出部の頂部に前記開口部を備え、前記膨出部の周囲の４箇所に、前記膨出部に連続して形成され、前記膨出部を支持する脚部を有しており、
前記操作部材は、前記基台部から前記可動接点部材が配置された方向へ突出して形成された保持部を有し、
前記保持部の先端部には、前記可動接点部材の外形に倣って形成された面取り部が形成され、
前記面取り部は前記脚部の近傍に配設されていることを特徴とする請求項１または請求項２のいずれかに記載のプッシュスイッチ。
【請求項４】
前記保持部は、前記可動接点部材の脚部に対応可能な位置に柱状に突出して形成されていることを特徴とする請求項３に記載のプッシュスイッチ。
【考案の詳細な説明】
【技術分野】
【０００１】
本考案は、プッシュスイッチに関し、特に、操作性の良いプッシュスイッチに関するものである。
【背景技術】
【０００２】
プッシュスイッチは各種電気機器の操作部に用いられることが多いことから、接点の導通状態の確実な切替、操作時の感触などの操作性の良いプッシュスイッチが求められている。
【０００３】
従来のプッシュスイッチとしては、下記の特許文献１に記載のプッシュスイッチＳＷが知られている。
【０００４】
以下、図１０および図１１を用いて、特許文献１に記載のプッシュスイッチＳＷについて説明する。図１０は、特許文献１に記載のプッシュスイッチＳＷの外観を示す斜視図である。図１１は、特許文献１に記載のプッシュスイッチＳＷの構成を示す断面図である。
【０００５】
特許文献１に記載のプッシュスイッチＳＷは、基部ＢＡとカバーＣＯとを含む基台ＨＯと、基台ＨＯ内部に位置する接点システムＳＩと、接点システムＳＩを開閉動作させるための作動部材ＳＴとを備えたプッシュスイッチである。接点システムＳＩは、金属の薄板をドーム形状に形成されるとともに頭頂部に開口を有した開閉接点ＭＴと、基部ＢＡに一体に形成された金属の薄板からなる固定接点ＰＴとで構成されている。作動部材ＳＴを押圧操作することで開閉接点ＭＴへの押圧操作が行なわれ、接点システムＳＩを構成する固定接点ＰＴと開閉接点ＭＴとが接離し、スイッチとして機能する。
【０００６】
作動部材ＳＴはゴム材料から形成されており、基部ＢＡとカバーＣＯとによって狭持されるとともに、基部ＢＡと作動部材ＳＴとの間に配設された開閉接点ＭＴの本体の外縁部と開口の外縁部とに接触し保持する。また、作動部材ＳＴは、押圧操作されると、開閉接点ＭＴの開口部の外縁部を押圧する構成とした。
【先行技術文献】
【特許文献】
【０００７】
【特許文献１】特許第４７１６９８８号公報
【考案の概要】
【考案が解決しようとする課題】
【０００８】
特許文献１に記載のプッシュスイッチは、ゴム材料からなる作動部材ＳＴで開閉接点ＭＴの開口部の外周を押圧する構成となっているため、作動部材ＳＴを斜め方向から押圧された場合などに、作動部材ＳＴの一部が開閉接点ＭＴの開口内に入り込むことが懸念される。仮に作動部材ＳＴの一部が開閉接点ＭＴの開口内に入り込んだ場合、入り込んだ作動部材ＳＴにより開閉接点ＭＴと固定接点ＰＴとの電気的な導通がうまくできない、開閉接点ＭＴがスムーズに動作しないなどの不具合が発生し操作性の悪化に繋がりかねない。
【０００９】
本考案は、上述した課題を解決して、操作性の良いプッシュスイッチを提供するものである。
【課題を解決するための手段】
【００１０】
請求項１に記載のプッシュスイッチは、固定接点部材が形成された収容部を有する基台と、前記収容部に収容され前記固定接点部材と接離可能であり、中央部分に円形の開口部が形成された可動接点部材と、前記収容部を覆い、前記可動接点部材を押圧する押圧部を有する操作部材と、前記操作部材を、前記基台との間に保持するカバーと、を備えたプッシュスイッチにおいて、前記可動接点部材に臨む前記押圧部の一端側は、円柱状に形成されるとともに、前記押圧部の一端側の端部には凹形状に形成されたテーパ部を有し、前記押圧部が円筒状に延出する方向に対して垂直な面で切断した時の前記テーパ部の断面の形状は円形であり、前記押圧部の一端側の端部における前記断面の直径は、前記可動接点部材の前記開口部の直径よりも大きく、かつ、前記押圧部の他端側に向かうにしたがって小さくなる、という特徴を有する。
【００１１】
請求項２に記載のプッシュスイッチは、前記操作部材は、前記押圧部と、前記押圧部の周辺に形成され、前記基台と前記カバーとの間に保持される基台部と、前記押圧部と前記基台部との間を繋げる繋ぎ部と、を有し、前記繋ぎ部の前記基台部側の端部には、前記基台部から連続して前記基台が配置された方向へ傾斜した傾斜部が形成されている、という特徴を有する。
【００１２】
請求項３に記載のプッシュスイッチは、前記可動接点部材は、ドーム状に形成された膨出部の頂部に前記開口部を備え、前記膨出部の周囲の４箇所に、前記膨出部に連続して形成され、前記膨出部を支持する脚部を有しており、前記操作部材は、前記基台部から前記可動接点部材が配置された方向へ突出して形成された保持部を有し、前記保持部の先端部には、前記可動接点部材の外形に倣って形成された面取り部が形成され、前記面取り部は前記脚部の近傍に配設されている、という特徴を有する。
【００１３】
請求項４に記載のプッシュスイッチは、前記保持部は、前記可動接点部材の脚部に対応可能な位置に柱状に突出して形成されている、という特徴を有する。
【考案の効果】
【００１４】
請求項１の考案によれば、テーパ部を、押圧部の一端側の開口面積が、押圧部の他端側の開口面積よりも大きいテーパ形状に形成することで、押圧部が可動接点部材に接触した後に、さらに押圧部を押し込むと、テーパ部は開口面積が広がる方向に変形しやすくなる。したがって、押圧部のテーパ部が可動接点部材の開口部に入り込むことで可動接点部材を押圧できなくなる不具合が発生し難くなり、操作性を良くすることができる、という効果を奏する。
【００１５】
請求項２の考案によれば、繋ぎ部に傾斜部を設けたことで、操作部材を斜め押しされた場合に、押圧部が斜め方向に傾く動きを傾斜部が抑制することができる。したがって、押圧部が極度に傾き復帰しなくなるなどの不具合を防止し、斜め押しされた場合の操作性を良くすることができる、という効果を奏する。
【００１６】
請求項３の考案によれば、操作部材の保持部は、面取り部を可動接点部材の脚部に接触させ、変形しながら押圧している。例えば、操作部材が位置ずれするような状態となったとしても、面取り部が脚部の近傍を押さえることで、可動接点部材の位置ずれを防止することができる。したがって、固定接点部材と可動接点部材との電気的接続が安定し、操作に対して固定接点部材と可動接点部材との電気的接続の切換を確実に行うことで、操作性をより良くすることができる、という効果を奏する。
【００１７】
請求項４の考案によれば、柱状に形成された保持部を、可動接点部材の４隅に当たる脚部に対応可能な位置に配設することで、操作部材の位置ズレを効率的に防止することができるとともに、保持部が可動接点部材に接触することで可動接点部材の動きを妨げることがなくなり、より操作性を良くすることができる、という効果を奏する。
【００１８】
以上より、本考案によれば、操作性の良いプッシュスイッチを提供することができる。
【図面の簡単な説明】
【００１９】
【図１】本実施形態におけるプッシュスイッチ１００の外観を示す図である。
【図２】本実施形態におけるプッシュスイッチ１００の構成を示す分解斜視図である。
【図３】可動接点部材３の外観を示す斜視図である。
【図４】固定接点部材２が形成された基台１の外観を示す斜視図である。
【図５】操作部材４を示す図である。
【図６】図１に示す断面Ａ−Ａで切断した操作部材４の断面を示す断面図である。
【図７】図１に示す断面Ａ−Ａで切断したプッシュスイッチ１００の断面を示す断面図である。
【図８】図６に示すＢ部を押圧することで斜め押しされた時の傾斜部４ｅに働く力を示した図である。
【図９】本実施形態におけるプッシュスイッチ１００の変形例を示す断面図である。
【図１０】特許文献１に記載のプッシュスイッチＳＷの外観を示す斜視図である。
【図１１】特許文献１に記載のプッシュスイッチＳＷの構成を示す断面図である。
【考案を実施するための形態】
【００２０】
［第１実施形態］
以下に第１実施形態におけるプッシュスイッチ１００について説明する。まず始めに本実施形態におけるプッシュスイッチ１００の構成について図１ないし図６を用いて説明する。図１はプッシュスイッチ１００の外観を示す図であり、図１（ａ）はプッシュスイッチ１００の外観を示す斜視図であり、図１（ｂ）はプッシュスイッチ１００の上面を示す平面図である。図２はプッシュスイッチ１００の構成を示す分解斜視図である。図３は可動接点部材３の外観を示す斜視図である。図４は固定接点部材２が形成された基台１の外観を示す斜視図である。図５は操作部材４を示す図であり、図５（ａ）は操作部材４の外観を示す斜視図であり、図５（ｂ）は操作部材４を図５（ａ）に示すＺ２方向から示した斜視図である。図６は図１に示す断面Ａ−Ａで切断した操作部材４の断面を示す断面図である。
【００２１】
プッシュスイッチ１００は、図１に示すような外観をしており、図２に示すように、固定接点部材２が一体に形成された基台１と、固定接点部材２と接離可能な可動接点部材３と、可動接点部材３を押圧可能な操作部材４と、操作部材４を保持するカバー５と、を備えている。
【００２２】
可動接点部材３は、図３に示すように、導電性を有する金属薄板からなる。可動接点部材３は、ドーム状に形成された膨出部３ｂの中央部に当たる頂部に開口部３ａを備え、膨出部３ｂの周囲に膨出部３ｂを支持する脚部３ｃを有している。脚部３ｃは膨出部３ｂに連続して形成され、膨出部３ｂの周囲を囲むように等間隔に４つ配設されている。
【００２３】
基台１は、図４に示すように、絶縁性の合成樹脂材からなり、略直方体状に形成されている。基台１には、可動接点部材３を収納可能な収容部１ａが、Ｚ１方向から平面視したときに略正方形となる凹形状に形成されている。収容部１ａの内部底面には、固定接点部材２が内部底面から上方（Ｚ１方向）へ突出して設けられている。固定接点部材２は導電性の金属薄板からなり、収容部１ａの中央に設けられた第１固定接点部２ａと、収容部１ａの四隅の近傍に設けられた第２固定接点部２ｂとからなる。第１固定接点２ａは、同一円周上に等間隔となるように、３個並べて配置されている。なお、第１固定接点部２ａと第２固定接点部２ｂとは電気的に導通していない。
【００２４】
また、基台１は、プッシュスイッチ１００として外部と電気的に接続可能とする、第１外部接続端子２ｃと第２外部接続端子２ｄとを有する。第１外部接続端子２ｃは、基台１のＸ２方向側の側面のＹ１方向側およびＹ２方向側から、それぞれ１本ずつ突出して形成されている。第２外部接続端子２ｄは、基台１のＸ２方向側の側面の中央であり、第１外部接続端子２ｃと第１外部接続端子２ｃとの間の位置から突出して形成されている。なお、第１固定接点部２ａと第１外部接続端子２ｃとは同一の金属板からなり電気的に導通しているとともに、第２固定接点部２ｂと第２外部接続端子２ｄとは同一の金属板からなり電気的に導通している。
【００２５】
操作部材４は、図５に示すように、ゴム材からなる。操作部材４は、円柱状に形成され、外部から押圧される押圧部４ａと、押圧部４ａの周辺に板状に形成された基台部４ｃとを有している。押圧部４ａと基台部４ｃとの間は、繋ぎ部４ｄによって連結されている。
【００２６】
押圧部４ａの一端側の端部には、図５（ｂ）に示すように、凹形状に形成されたテーパ部４ｂが形成されている。押圧部４ａが円筒状に延出する方向であるＺ１−Ｚ２方向に対して垂直な面で切断した時、テーパ部４ｂの断面の形状は円形であり、図６に示すように、押圧部４ａの一端側の端部におけるテーパ部４ｂの断面の直径は、可動接点部材３の開口部３ａの直径よりも大きく、かつ、押圧部４ａの他端側に向かうにしたがって小さくなる構造である。また、本実施形態においては、押圧操作がし易くなるよう、押圧部４ａの他端側の先端部４ｈは、ゴム材よりも固い材料で形成されている。
【００２７】
また、操作部材４は、基台部４ｃからＺ２方向へ突出して形成された保持部４ｆを有し、保持部４ｆの先端部には、可動接点部材３の外形に倣って形成された面取り部４ｇが形成されている。保持部４ｆは、基台部４ｃの四隅の近傍で可動接点部材３の脚部３ｃに対応可能な位置に柱状に突出して形成されている。
【００２８】
また、繋ぎ部４ｄの基台部４ｃ側の端部には、図５および図６に示すように、基台部４ｃから連続して、Ｚ２方向へ傾斜した傾斜部４ｅが形成されている。
【００２９】
カバー５は、図２に示すように、金属板からなる。カバー５は、板状に形成された天板５ａを有し、天板５ａの中央部には、操作部材４の押圧部４ａおよび繋ぎ部４ｄを挿通可能な大きさの挿通孔５ｂが形成されている。
【００３０】
次にプッシュスイッチ１００の構造について図７を用いて説明する。図７は図１に示す断面Ａ−Ａで切断したプッシュスイッチ１００の断面を示す断面図であり、図７（ａ）は操作されていない初期状態のプッシュスイッチ１００の断面を示す断面図であり、図７（ｂ）は操作された状態のプッシュスイッチ１００の断面を示す断面図である。
【００３１】
図７（ａ）に示すように、可動接点部材３は、基台１の収容部１ａの中に配設される。このとき、可動接点部材３は、収容部１ａの内部に形成された第２固定接点部２ｂ上に脚部３ｃが載り、膨出部３ｂがＺ１方向へ突出するように配設されている。操作部材４は、可動接点部材３が収納された収容部１ａを覆うように、基台１に重ねて配設される。このとき、操作部材４の保持部４ｆは、可動接点部材３の脚部３ｃに対応して配設されている。カバー５は、操作部材４の押圧部４ａを挿通孔５ｂに挿通させた状態で操作部材４に重ねて配置され、基台１に係止されることで、操作部材４を基台１との間に保持する。操作部材４が基台１とカバー５との間に保持されることで、操作部材４の保持部４ｆが、変形しながら可動接点部材３の脚部３ｃを、Ｚ１方向から押圧している。このようにして、プッシュスイッチ１００が形成される。
【００３２】
次にプッシュスイッチ１００の動作について図７を用いて説明する。
【００３３】
プッシュスイッチ１００は、初期状態においては、図７（ａ）に示すような状態であり、第１固定接点部２ａと第２固定接点部２ｂとの間で電気的な導通はしていない。図７（ａ）に示す状態から、押圧部４ａをＺ２方向へ押圧すると、押圧部４ａは繋ぎ部４ｄを撓ませながらＺ２方向に移動し、テーパ部４ｂの端部が可動接点部材３に接触する。可動接点部材３に接触したテーパ部４ｂの端部は、図７（ｂ）に示すように、テーパ部４ｂの径方向に広がりながら可動接点部材３をＺ２方向へ押圧する。押圧された可動接点部材３は、Ｚ２方向へ反転し、第１固定接点部２ａに接触する。可動接点部材３が第１固定接点部２ａに接触することで、第１固定接点部２ａと第２固定接点部２ｂとの間が導通する。なお、押圧部４ａへの押圧を解除すると、可動接点部材３の復帰力により、初期状態に復帰する。このように、第１固定接点部２ａと第２固定接点部２ｂとの間の導通状態を切り換えることでスイッチとして機能する。
【００３４】
以下、本実施形態としたことによる効果について説明する。
【００３５】
本実施形態のプッシュスイッチ１００では、固定接点部材２が形成された収容部１ａを有する基台１と、収容部１ａに収容され固定接点部材２と接離可能であり、中央部分に円形の開口部３ａが形成された可動接点部材３と、収容部１ａを覆い、可動接点部材３を押圧する押圧部４ａを有する操作部材４と、操作部材４を、基台１との間に保持するカバー５と、を備えたプッシュスイッチにおいて、可動接点部材３に臨む押圧部４ａの一端側は、円柱状に形成されるとともに、押圧部４ａの一端側の端部には凹形状に形成されたテーパ部４ｂを有し、押圧部４ａが円筒状に延出する方向に対して垂直な面で切断した時のテーパ部４ｂの断面の形状は円形であり、押圧部４ａの一端側の端部における断面の直径は、可動接点部材３の開口部３ａの直径よりも大きく、かつ、押圧部４ａの他端側に向かうにしたがって小さくなる、構成とした。
【００３６】
これにより、テーパ部４ｂを、押圧部４ａの一端側の開口面積が、押圧部４ａの他端側の開口面積よりも大きいテーパ形状に形成することで、押圧部４ａが可動接点部材３に接触した後に、さらに押圧部４ａを押し込むと、テーパ部４ｂは開口面積が広がる方向に変形しやすくなる。したがって、押圧部４ａのテーパ部４ｂが可動接点部材３の開口部３ａに入り込むことで可動接点部材３を押圧できなくなる不具合が発生し難くなり、操作性を良くすることができる、という効果を奏する。
【００３７】
また、テーパ部４ｂの断面形状を円形にすることで、押圧部４ａはテーパ部４ｂの断面が広がる方向へ均等に変形しやすくなり、さらにテーパ部４ｂが可動接点部材３の開口部３ａに入り込みにくくなり、さらに操作性を良くすることができる、という効果を奏する。
【００３８】
また、押圧部４ａの可動接点部材３に臨む面におけるテーパ部４ｂの断面形状の直径を、可動接点部材３の開口部３ａの直径よりも大きくした。これにより、より確実に押圧部４ａが可動接点部材３の開口部３ａに入り込むことなく操作することが可能となり、操作性をより良くすることができる、という効果を奏する。
【００３９】
また、可動接点部材３の開口部３ａを円形にすることで、可動接点部材３が反転動作を行なった時にも開口部３ａの一箇所に応力が集中し難くなる。したがって、開口部３ａにクラックが発生することが原因の不具合は発生し難くなり、動作寿命が長くなる、という効果を奏する。
【００４０】
また、本実施形態のプッシュスイッチ１００では、操作部材４は、押圧部４ａと、押圧部４ａの周辺に形成され、基台１とカバー５との間に保持される基台部４ｃと、押圧部４ａと基台部４ｃとの間を繋げる繋ぎ部４ｄと、を有し、繋ぎ部４ｄの基台部４ｃ側の端部には、基台部４ｃから連続して基台１が配置された方向へ傾斜した傾斜部４ｅが形成されている、構成とした。
【００４１】
これにより、繋ぎ部４ｄに傾斜部４ｅを設けたことで、操作部材４を斜め押しされた場合に、押圧部４ａが斜め方向に傾く動きを傾斜部４ｅが抑制することができる。ここで、操作部材４を斜め押しされた場合の傾斜部４ｅに働く力について、図６および図８を用いて説明する。図８は図６に示すＢ部を押圧することで斜め押しされた時の傾斜部４ｅに働く力を示した図であり、図８（ａ）は図６に示すＣ部の傾斜部４ｅに働く力を示す図であり、図８（ｂ）は図６に示すＤ部の傾斜部４ｅに働く力を示す図である。図６に示すＢ部を矢印Ｅ方向（Ｚ２方向）に押圧されると、図６に示すＣ部における傾斜部４ｅには、図８（ａ）に示すように、矢印Ｆ方向の力が掛かる。傾斜部４ｅはＺ２方向へ傾けて形成されているため、水平に形成されている場合に比べてそれ以上撓み難い。また、撓んだ状態からさらに押圧されると、傾斜部４ｅは押しつぶされることとなり、反発力が発生する。また、図６に示すＤ部における傾斜部４ｅには、図８（ａ）に示すように、矢印Ｇ方向の力が掛かる。傾斜部４ｅは矢印Ｇ方向に押しつぶされることとなり、反発力が発生する。このように押圧部４ａが傾く動きに抗する力が発生するため、押圧部４ａが斜め方向に傾く動きを抑制することができる。したがって、押圧部４ａが極度に傾き復帰しなくなるなどの不具合を防止し、斜め押しされた場合の操作性を良くすることができる、という効果を奏する。
【００４２】
また、これにより、操作部材４を斜め押しされた場合に傾く動きを抑制することで、押圧部４ａが傾き、テーパ部４ｂの先端が可動接点部材３の開口部３ａに入り込むことを防止することができ、押圧部４ａが可動接点部材３の開口部３ａに入り込むことなく操作することが可能となり、操作性をさらに良くすることができる、という効果を奏する。
【００４３】
また、本実施形態のプッシュスイッチ１００では、可動接点部材３は、ドーム状に形成された膨出部３ｂの中央部である頂部に開口部３ａを備え、膨出部３ｂの周囲の４箇所に、膨出部３ｂに連続して形成され、膨出部３ｂを支持する脚部３ｃを有しており、操作部材４は、基台部４ｃから可動接点部材３が配置された方向へ突出して形成された保持部４ｆを有し、保持部４ｆの先端部には、可動接点部材３の外形に倣って形成された面取り部４ｇが形成され、面取り部４ｇは脚部３ｃの近傍に配設されている、構成とした。
【００４４】
これにより、プッシュスイッチ１００として形成されたとき、操作部材４の保持部４ｆは、面取り部４ｇを可動接点部材３の脚部３ｃに接触させ、変形しながら押圧している。例えば、操作部材４が位置ずれするような状態となったとしても、面取り部４ｇが脚部３ｃの近傍を押さえることで、可動接点部材３の位置ずれを防止することができる。したがって、固定接点部材２と可動接点部材３との電気的接続が安定し、操作に対して固定接点部材２と可動接点部材３との電気的接続の切換を確実に行うことで、操作性をより良くすることができる、という効果を奏する。
【００４５】
また、これにより、保持部４ｆの面取り部４ｇが膨出部３ｂおよび脚部３ｃに常時接触している構成としたため、可動接点部材３が反転する際の振動を保持部４ｆで吸収し、操作音の小音化ができる、という効果を奏する。
【００４６】
また、本実施形態のプッシュスイッチ１００では、保持部４ｆは、可動接点部材３の脚部３ｃに対応可能な位置に柱状に突出して形成されている、構成とした。
【００４７】
これにより、柱状に形成された保持部４ｆを、可動接点部材３の４隅に当たる脚部３ｃに対応可能な位置に配設することで、操作部材４の位置ズレを効率的に防止することができるとともに、保持部４ｆが可動接点部材３に接触することで可動接点部材３の動きを妨げることがなくなり、より操作性を良くすることができる、という効果を奏する。
【００４８】
また、本実施形態のプッシュスイッチ１００では、第１固定接点２ａは、同一円周上に等間隔となるように、３個並べて配置されており、第２固定接点部２ｂは収容部１ａの四隅の近傍にそれぞれ設けられている構成とした。
【００４９】
これにより、可動接点部材３が傾いた状態で動作しても、可動接点部材３はいずれかの固定接点部２と導通しやすくなり、より確実に導通を行なうことができる。
【００５０】
以上のように、本考案の実施形態に係るプッシュスイッチを具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【００５１】
（１）本実施形態において、可動接点部材３の脚部３ｃは両側を切り落とし、平行な２辺を有するとともに、段差がつけられた形状として図示しているが、図示した形状に限定するものではない。例えば、脚部３ｃの両側を切り落とさずに、平面視で脚部３ｃが略三角形状であっても良い。
【００５２】
（２）本実施形態において、操作部材４の押圧部４ａの先端部４ｈは、ゴム材よりも硬い材料で形成されているとしたが、操作部材４の他の箇所と同じ材質であっても良い。
【００５３】
（３）本実施形態において、プッシュスイッチ１００は照光機能を持っていないが、照光部材を配設し、照光機能を持たせても良い。例えば、図９（ａ）に示すように、基台１の中央で可動接点部材３の開口部３ａに対応する位置にＬＥＤ（Ｌｉｇｈｔ  Ｅｍｉｔｔｉｎｇ  Ｄｉｏｄｅ、発光ダイオード）のような照光部材ＬＰを配設し、透光性を有した材料で操作部材４の先端部４ｈを形成するとともに、テーパ部４ｂを先端部４ｈに接する位置まで延長する構成などでも良い。なお、説明を容易にするために図示していないが、基台１には照光部材ＬＰ用の接点部と、該接点部から延長して外部と電気的な接続が可能な外部接続端子が設けられている。このようにすることで、照光部材ＬＰの発した光ＬＩがテーパ部４ｂおよび先端部４ｈを介して外方に出光される。または、照光部材ＬＰをプッシュスイッチ１００の構成部品とせず、図９（ｂ）に示すように、外部に繋がり光を取り入れ可能な取光穴ＨＯを基台１の中央に設け、プッシュスイッチ１００が取り付けられる回路基板ＰＢなどに配設された照光部材ＬＰが発する光を照光部材ＬＰの発した光ＬＩが取光穴ＨＯ、テーパ部４ｂおよび先端部４ｈを介して外方に出光される構成でも良い。なお、このとき、先端部４ｈは透光性を有した材料で形成されるとともに、テーパ部４ｂは先端部４ｈに接する位置まで延長されている。図９（ａ）や図９（ｂ）のような構成とすることで、操作部材４は光るため、特に暗所で使用される場合には、操作者が操作部材４の位置を確認しやすくなるため、操作性が良くなるという効果を奏する。
【００５４】
（４）本実施形態において、基台１は絶縁性の合成樹脂材からなり、略直方体状に形成され、固定接点部材２が埋設されている構成としたが、この構成に限定されるものではない。例えば、図示しないが、固定接点部材２が導体配線で形成された回路基板を基台１として、回路基板の上に合成樹脂材料からなる部材を配して本実施形態における収容部１ａとなる空間を形成する構成でも良い。
【符号の説明】
【００５５】
１      基台
１ａ    収容部
２      固定接点部材
２ａ    第１固定接点部
２ｂ    第２固定接点部
２ｃ    第１外部接続端子
２ｄ    第２外部接続端子
３      可動接点部材
３ａ    開口部
３ｂ    膨出部
３ｃ    脚部
４      操作部材
４ａ    押圧部
４ｂ    テーパ部
４ｃ    基台部
４ｄ    繋ぎ部
４ｅ    傾斜部
４ｆ    保持部
４ｇ    面取り部
４ｈ    先端部
５      カバー
５ａ    天板
５ｂ    挿通孔
１００  プッシュスイッチ
【図１】
0003179036.tif 000003
【図２】
0003179036.tif 000004
【図３】
0003179036.tif 000005
【図４】
0003179036.tif 000006
【図５】
0003179036.tif 000007
【図６】
0003179036.tif 000008
【図７】
0003179036.tif 000009
【図８】
0003179036.tif 000010
【図９】
0003179036.tif 000011
【図１０】
0003179036.tif 000012
【図１１】
0003179036.tif 000013